(57)【要約】【課題】本考案は、上記問題に鑑みてなされたものであって、外観の意匠性を向上させることができる装飾眼鏡の提供を課題とする。【解決手段】本考案は、眼鏡レンズ１と眼鏡フレーム２とからなり、該眼鏡レンズ１の周縁側面に切り欠き部３が形成され、該切り欠き部３に薄肉の装飾部材４が挟着されている。この装飾部材４は、装飾原料４１が薄い透明の合成樹脂製シート４２により挟着されたものである。これによれば、装飾部材４によって眼鏡Ｍの周縁部の装飾が視認し易くなり、外観の意匠性を向上することができる。【選択図】図１
0003130900.tif 000002
【実用新案登録請求の範囲】
【請求項１】
眼鏡レンズと眼鏡フレームとからなり、該眼鏡レンズの周縁側面に切り欠き部が形成され、該切り欠き部に薄肉の装飾部材が挟着されていることを特徴とする装飾眼鏡。
【請求項２】
前記装飾部材は、装飾原料が薄い透明の合成樹脂製シートにより挟着されたものである請求項１に記載の装飾眼鏡。
【請求項３】
前記装飾原料は、貝殻の光沢のある部分を薄く切り取ることにより形成される螺鈿からなる請求項２に記載の装飾眼鏡。
【請求項４】
前記合成樹脂性シートは、ＰＥＴ素材からなる請求項２または請求項３に記載の眼鏡。
【請求項５】
前記切り欠き部は、眼鏡フレームが取り付けられている部分に形成されている請求項１ないし請求項４のいずれかに記載の装飾眼鏡。
【考案の詳細な説明】
【技術分野】
【０００１】
本考案は、眼鏡レンズにおいて装飾が施された眼鏡に関する。
【背景技術】
【０００２】
一般に眼鏡は眼鏡フレームと眼鏡レンズからなり、眼鏡フレームの縁部分がないもの、縁部分をワイヤーとしたものなど機能面から工夫がなされたものや、眼鏡フレームを色々な形状としたもの、眼鏡レンズにカラー色にしたものなど外観面から工夫されたものがある。
【０００３】
このうち眼鏡レンズに装飾を施したものとして、例えば特許文献１が知られている。この特許文献１には、レンズの周縁側面に凹状溝を刻設し、ここに金属粉、金属箔、染料、顔料などを配合した接着剤を充填したり、あるいは網糸、毛糸、飾り糸、ラメ、合成樹脂性糸などの装飾糸材を配設し、接着剤を充填したものである。
【０００４】
【特許文献１】特開２０００−３４７１４０号公報
【考案の開示】
【考案が解決しようとする課題】
【０００５】
しかしながら、上記眼鏡では、凹状溝が浅い上に、装飾されたものが接着剤や糸材であるために、眼鏡に装飾が施されているのが視認しにくく、外観の意匠性が高くないという問題があった。
【０００６】
本考案は、上記問題に鑑みてなされたものであって、外観の意匠性を向上させることができる眼鏡の提供を課題とする。
【課題を解決するための手段】
【０００７】
本考案は、眼鏡レンズと眼鏡フレームとからなり、該眼鏡レンズの周縁側面に切り欠き部が形成され、該切り欠き部に薄肉の装飾部材が挟着されていることを特徴とする。これによれば、装飾部材によって眼鏡の周縁部の装飾が視認し易くなり、外観の意匠性を向上することができる。
【０００８】
また、前記装飾部材は、装飾原料が薄い透明の合成樹脂製シートにより挟着されたものであるのが好ましい。これによれば眼鏡レンズに取り付けやすく、しかも装飾部材の耐久性を高くすることができる。
【０００９】
また、前記装飾原料は、貝殻の光沢のある部分を薄く切り取ることにより形成される螺鈿からなるのが好ましい。これによれば螺鈿の特有の光沢により外観の意匠性をより一層向上することができる。
【００１０】
また、前記合成樹脂性シートは、ＰＥＴ素材からなるのが好ましい。これによれば熱を加えながら圧着するだけで装飾原料を簡単に挟着することができる上に、製造コストを低減することができる。
【００１１】
また、前記切り欠き部は、眼鏡フレームが取り付けられている部分に形成されているのが好ましい。これによれば、眼鏡フレームの取付部分の強度を向上させることができる。
【考案の効果】
【００１２】
本考案によれば、装飾部材によって眼鏡の周縁部の装飾が視認し易くなり、外観の意匠性を向上することができる。特に装飾部材として螺鈿や金箔などの装飾原料をＰＥＴ素材などの合成樹脂シートにより挟着したものを使用すると、装飾部材を眼鏡レンズに取り付け安くなる上に、外観の意匠性をより一層向上させることができる。
【考案を実施するための最良の形態】
【００１３】
次に本考案の一実施形態について説明する。
【００１４】
図１は、本実施形態に係る眼鏡（Ｍ）の斜視図である。
【００１５】
この眼鏡（Ｍ）は、眼鏡レンズ（１）と眼鏡フレーム（２）とから構成される。これら眼鏡レンズ（１）および眼鏡フレーム（２）は、従来から使用されているものであり、様々な眼鏡レンズ（１）や眼鏡フレーム（２）に設計変更可能である。
【００１６】
前記眼鏡レンズ（１）は、正面から向かって左側に位置する左側眼鏡レンズ（１１）と、右側に位置する右側眼鏡レンズ（１２）とからなり、眼鏡フレーム（２）によって左右対称となるに固定されている。
【００１７】
左側眼鏡レンズ（１１）の左上隅部および左下隅部と、右側眼鏡レンズ（１２）の右上隅部および右下隅部とには、それぞれ周縁側面に切り欠き部（３）が周方向に沿って形成されている。
【００１８】
前記切り欠き部（３）は、左側眼鏡レンズ（１１）の左上隅部と右側眼鏡レンズ（１２）の右上隅部においては長さ２３ｍｍ、深さ２．５ｍｍ以下の溝状に形成されている。また、左側眼鏡レンズ（１１）の左下隅部と右側眼鏡レンズ（１２）の右下隅部においては長さ２７ｍｍ、深さ４ｍｍ以下の溝状に形成されている。これら切り欠き部（３）は、ヤスリ等の工具によって手動で形成してもよいし、あるいは加工機械により自動で形成してもよい。
【００１９】
また、前記切り欠き部（３）には、薄肉の装飾部材（４）が挟着されている。本実施形態では、この装飾部材（４）は、図４に示すように、装飾原料（４１）が薄い透明の合成樹脂製シート（４２）により挟着されたものからなる。
【００２０】
装飾原料（４１）としては、螺鈿、箔、押し花、和紙、布などが挙げられる。螺鈿とは、貝殻の光沢のある部分を薄く切り取ることにより形成されるものであり、例えば白蝶貝、あわび、青貝、ことぶし、黒蝶貝、夜光貝、玉虫貝、メキシコ貝、アコヤ貝などが挙げられる。装飾原料（４１）として螺鈿を用いれば、その特有の光沢により外観の意匠性をより一層向上することができる。
【００２１】
合成樹脂製シート（４２）としては、ＰＥＴ素材などが挙げられる。このＰＥＴ素材は、アクリル板・ポリカーボネート板よりも安価、環境に優しい素材でリサイクル可能であり、加工性がよいという利点がある。
【００２２】
装飾部材（４）の作製に際しては、２枚の合成樹脂製シート（４２）の間に装飾原料（４１）を挟み込み、外側から熱を加えながら圧着すると、装飾原料（４１）が合成樹脂製シート（４２）に挟着されたものとが出来上がる。そして、この装飾部材（４）を眼鏡レンズ（１）に形成された切り欠き部（３）と同大同形に切り取った上で、接着剤を塗布した状態で当該切り欠き部（３）に嵌め込んで固定する。
【００２３】
特に装飾原料（４１）として螺鈿を用いた場合、螺鈿はそのままの状態では非常に脆いために切り取ろうとすると簡単に割れてしまうという難点がある。しかし、このように合成樹脂製シート（４２）により挟着すると、割れることなく所望の形状に切り取り易くなり、螺鈿の外観性を維持した状態で加工性を向上させることができる。
【００２４】
このように、装飾部材（４）によって眼鏡（Ｍ）の周縁部の装飾が視認し易くなり、外観の意匠性を向上することができる。特に装飾部材（４）として螺鈿や金箔などの装飾原料（４１）をＰＥＴ素材などの合成樹脂シート（４２）により挟着したものを使用すると、装飾部材（４）を眼鏡レンズ（１）に取り付け安くなる上に、外観の意匠性をより一層向上させることができる。
【図面の簡単な説明】
【００２５】
【図１】本考案の一実施形態に係る眼鏡の斜視図である。
【図２】眼鏡レンズの拡大斜視図である。
【図３】眼鏡レンズの断面図である。
【図４】装飾部材を示す図である。
【符号の説明】
【００２６】
１・・・眼鏡レンズ
１１・・・右側眼鏡レンズ
１２・・・左側眼鏡レンズ
２・・・眼鏡フレーム
３・・・切り欠き部
４・・・装飾部材
４１・・・装飾原料
４２・・・合成樹脂製シート
【図１】
0003130900.tif 000003
【図２】
0003130900.tif 000004
【図３】
0003130900.tif 000005
【図４】
0003130900.tif 000006